(57)【要約】【課題】操作性良くイン点／アウト点情報を入力することのできる画像記録装置および画像記録方法を提供する。【解決手段】画像記録装置は、動画を撮影する撮影部と、画像記録装置を複数の動作モードから選択された動作モードで動作させることが可能な制御部と、動画の記録の開始と停止を指示するための操作部とを有する。複数の動作モードには、ユーザ操作に応じて撮影部で撮影された動画を記録媒体に記録するリアル記録を行う第１の記録モード（通常記録モード）と、リアル記録を継続しながらユーザ操作に応じてシーンの開始と終了を記録するバーチャル記録を行う第２の記録モード（常時記録モード）とが含まれる。制御部は、第１の記録モードのときは操作部への操作に応じてリアル記録の開始と停止を制御し、第２の記録モードのときは操作部への操作に応じてバーチャル記録の開始と停止を制御する。【選択図】  図１
2015041990.tif 000002
【特許請求の範囲】
【請求項１】
画像記録装置であって、
動画を撮影する撮影手段と、
ユーザ操作に応じて前記撮影手段で撮影された動画を記録媒体に記録するリアル記録を行う第１の記録モードと、前記リアル記録を継続しながらユーザ操作に応じてシーンの開始と終了を記録するバーチャル記録を行う第２の記録モードとを含む複数の動作モードのいずれかに設定する設定手段と、
動画の記録の開始と停止を指示するための操作手段と、
前記第１の記録モードのときは前記操作手段への操作に応じて前記リアル記録の開始と停止を制御し、前記第２の記録モードのときは前記操作手段への操作に応じて前記バーチャル記録の開始を示す情報の入力または終了を示す情報の入力を行うように制御する制御手段と
を備えることを特徴とする画像記録装置。
【請求項２】
前記バーチャル記録の開始を示す情報及び前記バーチャル記録の終了を示す情報を、それぞれの情報を入力された際に記録されている動画に関連付けて記録する記録手段を更に備えることを特徴とする請求項１に記載の画像記録装置。
【請求項３】
前記バーチャル記録の開始を示す情報及び前記バーチャル記録の終了を示す情報は、それぞれの入力が指示された際に記録されている動画における、それぞれの入力が指示された際の時間の情報、それぞれの入力が指示された際のタイムスタンプ、それぞれの入力が指示された際のフレームを特定する情報の少なくとも１つであることを特徴とする請求項１または２に記載の画像記録装置。
【請求項４】
前記操作手段はユーザが前記画像記録装置を持つ手の指によって操作可能な操作キーであることを特徴とする請求項１乃至３の何れか１項に記載の画像記録装置。
【請求項５】
前記第２の記録モードにおいて前記リアル記録の開始、停止を指示するための、前記操作手段とは別の指示手段を更に備えることを特徴とする請求項１乃至４の何れか１項記載の画像記録装置。
【請求項６】
前記指示手段は、前記リアル記録の開始、停止を指示するためのメニューを表示することを特徴とする請求項５に記載の画像記録装置。
【請求項７】
前記制御手段は、前記第２の記録モードにおいて前記リアル記録が実行されていないときに前記操作手段が操作されると、前記リアル記録を開始するとともに前記バーチャル記録の開始を示す情報を入力することを特徴とする請求項１乃至６のいずれか１項に記載の画像記録装置。
【請求項８】
前記制御手段は、前記第２の記録モードにおいてリアル記録が実行されていないときに前記指示手段により前記リアル記録の開始が指示されると、前記リアル記録を開始するとともに前記バーチャル記録の開始を示す情報を入力することを特徴とする請求項５または６に記載の画像記録装置。
【請求項９】
前記制御手段は、前記第２の記録モードにおいて前記リアル記録を行っているときに、前記記録媒体への前記リアル記録を継続できない条件になった場合に、前記リアル記録を停止するとともに前記バーチャル記録の終了を示す情報を入力することを特徴とする請求項１乃至９のいずれか１項に記載の画像記録装置。
【請求項１０】
前記リアル記録が継続できない条件とは、
前記記録媒体に記録されたデータ量が該記録媒体の容量の上限に達したとき、
前記記録媒体の蓋が開いているとき、
前記記録媒体に記録されたシーンの数が上限に達したとき、
前記記録媒体に記録されたリアルプレイリストの数が上限に達したとき、
動作モードが動画の記録を行うモードではなくなったとき、
の少なくともいずれかを含むことを特徴とする、請求項９に記載の画像記録装置。
【請求項１１】
前記制御手段は、前記第２の記録モードにおいて前記バーチャル記録を行うことができない条件になったときは、前記リアル記録を継続したまま前記バーチャル記録の終了を示す情報を入力することを特徴とする請求項１乃至１０のいずれか１項に記載の画像記録装置。
【請求項１２】
前記バーチャル記録を行うことができない条件とは、
バーチャル記録シーン数が上限に達したとき、
バーチャルプレイリスト数が上限に達したとき、
の少なくとも何れかを含むことを特徴とする請求項１１に記載の画像記録装置。
【請求項１３】
前記第２の記録モードへの移行を選択するためのメニューを表示する表示手段を更に備えることを特徴とする請求項１乃至１２のいずれか１項に記載の画像記録装置。
【請求項１４】
画像記録装置と接続された外部記録装置に対して動画の記録を行う外部記録が実行されているときは、前記表示手段により表示されたメニューにおける第２の記録モードへの移行の選択が禁止されることを特徴とする請求項１３に記載の画像記録装置。
【請求項１５】
前記外部記録が実行されているときは、前記第２の記録モードにおいてリアル記録の開始、停止を指示するための設定メニューの変更が禁止されることを特徴とする請求項１４に記載の画像記録装置。
【請求項１６】
第２の記録モードにおいて前記外部記録が実行されている場合、前記バーチャル記録の開始を示す情報と終了を示す情報を入力する指示に合わせて前記外部記録装置への記録開始と停止の指示を行うことを特徴とする請求項１４または１５に記載の画像記録装置。
【請求項１７】
前記第１の記録モードにおいて前記外部記録が実行されている場合は、前記リアル記録の開始と停止の指示に合わせて前記外部記録装置への記録開始と停止を指示することを特徴とする請求項１４乃至１６のいずれか１項に記載の画像記録装置。
【請求項１８】
動画を撮影する撮影手段と、
動画の記録の開始と停止を指示するための操作手段と、を備えた画像記録装置による画像記録方法であって、
ユーザ操作に応じて前記撮影手段で撮影された動画を記録媒体に記録するリアル記録を行う第１の記録モードと、前記リアル記録を継続しながらユーザ操作に応じてシーンの開始と終了を記録するバーチャル記録を行う第２の記録モードとを含む複数の動作モードのいずれかに設定する設定工程と、
前記第１の記録モードのときは前記操作手段への操作に応じて前記リアル記録の開始と停止を制御し、前記第２の記録モードのときは前記操作手段への操作に応じて前記バーチャル記録の開始を示す情報の入力または終了を示す情報の入力を行うように制御する制御工程と
を備えることを特徴とする画像記録方法。
【請求項１９】
コンピュータを、請求項１乃至１７のいずれか１項に記載された画像記録装置の各手段として機能させるためのプログラム。
【請求項２０】
コンピュータを、請求項１乃至１７のいずれか１項に記載された画像記録装置の各手段として機能させるためのプログラムを格納したコンピュータが読み取り可能な記憶媒体。
【発明の詳細な説明】
【技術分野】
【０００１】
本発明は動画像の記録を行う画像記録装置および画像記録方法に関するものである。
【背景技術】
【０００２】
一般に、デジタルビデオカメラに代表される画像記録装置による動画像の記録動作は、操作者の撮影開始指示により開始し、操作者の撮影終了指示により終了する。しかしながら、重要なシーンがいつ発生するかを予測できない場合もあり、操作者の撮影開始指示が間に合わず重要なシーンを撮り逃すという事があった。
【０００３】
以上のような課題の対策として、動画像を常時記録しておくことが考えられる。特許文献１では、外部記録装置に映像とともに、重要シーンの開始情報を送信することが提案されている。特許文献１によれば、外部記録装置は、すべての映像を動画像として記録するが、開始情報を元に映像が区切られて、動画像を複数のファイルに分けて記録する。一方、特許文献２には、ズーム操作部をトリミング操作部に利用することが記載されている。特許文献２は、同一キーが異なる動作モードで異なる役割を持つように機能を割り当てながら、直観的な操作を実現する。
【先行技術文献】
【特許文献】
【０００４】
【特許文献１】特開２０１０−１６１５１２号公報
【特許文献２】特開２００３−２８３９８８号公報
【発明の概要】
【発明が解決しようとする課題】
【０００５】
動画像を常時記録しておくと、目的の場面の検索に多くの処理時間を要するという課題がある。そこで、常時記録での撮影時に撮影者が重要だと思った場面のイン点とアウト点を属性情報として記録しておき、後に重要場面を探しやすくしておくことが考えられる。そのため、常時記録を行う場合にはイン点／アウト点情報を入力するための指示手段が必要である。
【０００６】
一方、多くのデジタルビデオカメラでは、上記の撮影開始や撮影終了の指示が、画像記録装置本体のＳＴＡＲＴ／ＳＴＯＰボタンの押下によりなされるように構成されている。すなわち、ＳＴＡＲＴ／ＳＴＯＰボタンが押下されると撮影開始指示として認識され、再度ＳＴＡＲＴ／ＳＴＯＰボタンが押下されると撮影終了指示として認識される。その為、撮影者が撮影開始指示をしたつもりであったものが、画像記録装置がすでに動画像の記録中であった場合、動画像の記録が停止してしまう。更には、画像記録装置がすでに停止中であった場合、撮影者が撮影停止指示のつもり行ったＳＴＡＲＴ／ＳＴＯＰボタン押下によって動画像の記録が開始しまう。このように、撮影者による記録の開始／停止の操作が、撮影者の意図に対して反転してしまうといった事態が生じ得る。
【０００７】
本発明は、上記課題に鑑みてなされたものであり、撮影者による記録の開始／停止の操作が、撮影者の意図に対して反転してしまうことを防ぎ、操作性良くイン点／アウト点情報を入力することのできる画像記録装置および画像記録方法を提供することを目的とする。
【課題を解決するための手段】
【０００８】
上記の目的を達成するための本発明の位置態様による画像記録装置は以下の構成を備える。すなわち、
画像記録装置であって、
動画を撮影する撮影手段と、
ユーザ操作に応じて前記撮影手段で撮影された動画を記録媒体に記録するリアル記録を行う第１の記録モードと、前記リアル記録を継続しながらユーザ操作に応じてシーンの開始と終了を記録するバーチャル記録を行う第２の記録モードとを含む複数の動作モードのいずれかに設定する設定手段と、
動画の記録の開始と停止を指示するための操作手段と、
前記第１の記録モードのときは前記操作手段への操作に応じて前記リアル記録の開始と停止を制御し、前記第２の記録モードのときは前記操作手段への操作に応じて前記バーチャル記録の開始を示す情報の入力または終了を示す情報の入力を行うように制御する制御手段と、を備える。
【発明の効果】
【０００９】
本発明によれば、撮影者による記録の開始／停止の操作が、撮影者の意図に対して反転してしまうことを防ぎ、操作性良くイン点／アウト点情報を入力することができる。
【図面の簡単な説明】
【００１０】
【図１】本実施形態に係る画像記録装置１００の内部構成例を示すブロック図。
【図２Ａ】本実施形態の全体処理を示すフローチャート。
【図２Ｂ】本実施形態の全体処理を示すフローチャート。
【図３Ａ】本実施形態の常時記録モード処理を示すフローチャート。
【図３Ｂ】本実施形態の常時記録モード処理を示すフローチャート。
【図３Ｃ】本実施形態の常時記録モード処理を示すフローチャート。
【図３Ｄ】本実施形態の常時記録モード処理を示すフローチャート。
【図３Ｅ】本実施形態の常時記録モード処理を示すフローチャート。
【図３Ｆ】本実施形態の常時記録モード処理を示すフローチャート。
【図３Ｇ】本実施形態の常時記録モード処理を示すフローチャート。
【図４】本実施形態の常時記録処理を示すフローチャート。
【図５Ａ】本実施形態の再生処理を示すフローチャート。
【図５Ｂ】本実施形態の再生処理を示すフローチャート。
【図６】本実施形態のＯＦＦ処理を示すフローチャート。
【図７】通常記録モード時の表示例を示す図。
【図８】メニュー画面における常時記録モード選択画面を示す図。
【図９】常時記録モードにおける画面表示例を示す図。
【図１０】常時記録ＯＮ時のステータス表示例を示す図。
【図１１】インデックス画面を説明する図。
【図１２】再生画面を示す図。
【図１３】インデックス切り替え画面を示す図。
【図１４】通常記録時のユーザ操作と動画ファイルと管理情報を示す図。
【図１５】常時記録のユーザ操作と動画ファイルと管理情報を示す図。
【図１６】警告画面を示す図。
【図１７】本実施形態に係る画像記録装置の外観図。
【発明を実施するための形態】
【００１１】
＜第１の実施形態＞
図１は、本実施形態に係る画像記録装置１００（画像再生装置でもある）の内部構成例を示すブロック図である。図１において、レンズユニット１０１は、集光のための固定レンズ群、変倍レンズ群、絞り、変倍レンズ群の動きで移動した結像位置を補正する機能と焦点調節を行う機能とを兼ね備えた補正レンズ群により構成されている。レンズユニット１０１によって、最終的に後述のＣＣＤ１０２の結像面上に被写体像が結像される。
【００１２】
ＣＣＤ（charge coupled device）１０２は、光を電荷に変換し撮像信号を生成する。カメラ信号処理部１０３は、撮像信号に所定の処理を施してデジタル画像データを出力する。圧縮伸張回路１０４は、デジタル画像データをＭＰＥＧ圧縮し、圧縮ビデオデータを生成する。また、圧縮伸張回路１０４は、ＭＰＥＧの圧縮ビデオデータを入力し、これを伸張する機能も兼ね備えている。
【００１３】
マイコン１０７は、画像記録装置１００全体を制御する。ＲＯＭ１０８はフラッシュメモリなどでなどの不揮発性メモリであり、マイコン１０７が実行するプログラムなどが格納されている。また、ＲＯＭ１０８の一部領域はバックアップ用として、システムの状態などを保持するために使用される。ＲＡＭ１０９は、マイコン１０７や圧縮伸張回路１０４などがワークメモリとして使用する揮発性メモリである。マイコン１０７は、ＯＳＤ部１０５を制御して各種表示制御を行う。
【００１４】
バス１１４は画像記録装置１００の各部を接続する。メモリカードＡ１１２、メモリカードＢ１１３は、圧縮伸張回路１０４で生成された圧縮ビデオデータをＦＡＴファイルシステムなどコンピュータと互換のある所定のフォーマットに従って記録するための記録媒体である。このメモリカードは、画像記録装置１００から取り外し可能な着脱可能な記録媒体であり、画像記録装置以外にもＰＣ等に装着する事ができる。記録再生回路１１０は、圧縮伸張回路１０４で生成された圧縮ビデオデータ（動画像データ）をＦＡＴファイルシステムなどコンピュータと互換のあるフォーマットに従って、メモリカードＡ１１２およびメモリカードＢ１１３に記録する。
【００１５】
ＯＳＤ部（オンスクリーンディスプレイ）１０５は、各種設定メニューやタイトル、時間などの情報をデジタル画像データに重畳させる。また、ＯＳＤ部１０５は、重畳されたデジタル画像データ等をＬＣＤパネル１７０１やＥＶＦ１７０２に出力して、これらにデジタル画像を表示させる制御も行う。ＬＣＤパネル１７０１は、ＯＳＤ部１０５からの制御を受け、デジタル画像を表示するディスプレイである。ＥＶＦ１７０２は、接眼部を介して視認される電子ビューファインダである。以下、ＬＣＤパネル１７０１とＥＶＦ１７０２を総称して表示部と称する。映像の表示先は、ユーザ操作に応じて、ＬＣＤパネル１７０１のみ、ＥＶＦ１７０２のみ、ＬＣＤパネル１７０１とＥＶＦ１７０２の双方、のいずれかに設定可能である。
【００１６】
外部出力１１５は、カメラ信号処理部１０３より出力されるデジタル画像を外部に出力する。オーディオ部１１６は、マイクユニット、スピーカを備えており、圧縮伸張回路１０４は、画像データと共に音声データの圧縮伸張を行う。すなわち、前述の圧縮ビデオデータには音声データも多重化される。操作スイッチ群１１１は、ユーザが操作入力するための各種操作部材である。操作スイッチ群１１１には、たとえば、図１７により後述する電源スイッチ１７０６、ＳＴＡＲＴ／ＳＴＯＰボタン１７０５、ステータスボタン１７０８などの操作部材が含まれる。
【００１７】
図１７は本実施形態に係る画像記録装置の外観図である。図１７（ａ）は、画像記録装置の画像表示部を開いた状態を示す外観斜視図であり、図１７（ｂ）は画像記録装置を撮影者側（後部側）から見た外観斜視図である。
【００１８】
図１７（ａ）において、１７０１はＬＣＤ（Liquid Crystal Display）パネルであり、１７０２はＥＶＦ（Electronic View Finder）である。１７０３は、出力端子であり、外部の映像表示装置などと接続して映像を表示させるための映像を出力する。１７０７はメニューボタンであり、画像記録装置１００の設定変更などを行うためのメニュー画面の開閉を行うためのボタンである。ステータスボタン１７０８は、画像記録装置１００の設定や状態を示す画面の開閉をするためのボタンである。
【００１９】
図１７（ｂ）において、１７０４はグリップベルトであり、カメラを持つ手を支えるためのものである。ＳＴＡＲＴ／ＳＴＯＰボタン１７０５は、映像の記録開始と停止を指示するためのボタンである。電源スイッチ１７０６は、画像記録装置１００を撮影モード、再生モード、電源オフモードの何れかに切替えるための操作部である。
【００２０】
ここで、撮影モードとは、外部出力１１５、表示部に、レンズユニット１０１が取り込んだ光をＣＣＤ１０２で光電変換しカメラ信号処理部１０３で信号処理して得られたデータが出力されるモードである。撮影モードでは、操作者が操作スイッチ群１１１を操作して画像記録装置１００に記録開始指示を出すと、上述のカメラ信号処理部１０３で信号処理されたデータが圧縮伸張回路１０４で圧縮され、メモリカードＡ１１２、メモリカードＢ１１３に記録される。
【００２１】
撮影モードでは更に、通常の動画像記録を行う通常記録モードと常時記録モードの少なくとも２種類のモードのうち何れかに切り替えが可能である。通常記録モードでは、ＳＴＡＲＴ／ＳＴＯＰボタン１７０５の操作によりリアル記録の開始と停止が行われる。また、常時記録モードでは、連続したリアル記録を継続しながら、ＳＴＡＲＴ／ＳＴＯＰボタン１７０５の操作によりバーチャル記録の開始と停止が行われる。リアル記録、バーチャル記録については、後述する。
【００２２】
また、再生モードでは、メモリカードＡ１１２、メモリカードＢ１１３に記録された動画像を圧縮伸張回路１０４で伸張したのち、ＯＳＤ部１０５でＯＳＤ情報を重畳して得られた画像を表示部に出力する、および／または、外部出力１１５に出力する。また、電源オフモードとは、画像記録装置１００の機能をすべてオフ状態とするモードである。
【００２３】
ここで説明した各種ボタンは、図１の操作スイッチ群１１１の中に含まれる。ここで、ＳＴＡＲＴ／ＳＴＯＰボタン１７０５は、画像記録装置１００を手に持ってグリップベルト１７０４を装着したときに、記録の開始／停止を指示するのに適した、操作性の良い位置に配置されている。すなわち、グリップベルト１７０４に通した手（画像記録装置１００を持つ手）の指（普通は右手の親指）で操作可能な位置にＳＴＡＲＴ／ＳＴＯＰボタン１７０５が配置されている。すなわち、ＳＴＡＲＴ／ＳＴＯＰボタン１７０５は、ユーザが直接的にアクセス可能な操作キーである。このように、ＳＴＡＲＴ／ＳＴＯＰボタン１７０５の位置は、グリップベルト１７０４に通した、画像記録装置１００を保持する右手の親指が自然と届く位置となっている。そのため、ユーザがＥＶＦ１７０２を覗いており操作スイッチ群１１１を見ていない場合でも、ユーザはＳＴＡＲＴ／ＳＴＯＰボタン１７０５を容易に操作することができる。すなわち、ＳＴＡＲＴ／ＳＴＯＰボタン１７０５は、撮影の開始と停止を指示するための重要なボタンであり、使い勝手に善し悪しに直結することから、ユーザによりアクセスしやすい位置に配置されている。
【００２４】
＜＜撮影モードの動作＞＞
図２Ａ、図２Ｂに本実施形態における撮影モード処理のフローチャートを示す。図２Ａ、図２Ｂのフローチャートに示される各処理は、たとえば、画像記録装置１００のマイコン１０７がＲＯＭ１０８に保存されているプログラムを実行することにより実現される。なお、動画の記録方式はＡＶＣＨＤ規格の記録方式であるとするが、これに限られるものではない。電源スイッチ１７０６の操作によって撮影モードで起動されるとＳ２０１以降の処理が開始される。
【００２５】
Ｓ２０１ではマイコン１０７はＲＯＭ１０８よりバックアップ情報を読みだす。バックアップ情報には、常時記録モードがオンであるかオフであるかの情報が含まれている。常時記録モードとは、記録媒体に対して画像の記録を常時行いながらユーザの操作に基づいて記録中の動画に属性情報としてのイン点／アウト点を付与していく、常時記録を行う動作モードである。マイコン１０７はバックアップ情報より画像記録装置１００が常時記録モードで動作しているか否かを判断する。常時記録モードがオンだった場合には処理はＳ２２７へ進み、常時記録モードがオフであった場合には処理はＳ２０２へ進む。
【００２６】
Ｓ２０２ではマイコン１０７は、操作者が操作スイッチ群１１１を操作して（メニューボタン１７０７を押下して）メニューを開く指示を画像記録装置１００に対して行ったか否かを判断する。メニューを開く指示が行われていなければ処理はＳ２０３へすすみ、メニューを開く指示が行われていれば処理はＳ２１４へすすむ。
【００２７】
Ｓ２０３では、マイコン１０７は、操作スイッチ群１１１にあるＳＴＡＲＴ／ＳＴＯＰボタン１７０５の押下の有無により画像記録装置１００に対して動画記録開始が指示されたか否かを判断する。ＳＴＡＲＴ／ＳＴＯＰボタン１７０５が押下された（動画記録開始が指示された）と判断された場合は、処理はＳ２１２へ進み、マイコン１０７は、画像記録装置１００を制御して、通常の動画記録処理を行う。Ｓ２１２の処理（通常の動画記録処理）の詳細については、図４を用いて後述する。また、Ｓ２０３においてＳＴＡＲＴ／ＳＴＯＰボタン１７０５が押下されていない（動画記録開始が指示されていない）と判断された場合は、処理はＳ２０４へ進む。
【００２８】
Ｓ２０４では、マイコン１０７は、操作スイッチ群１１１にある、本体のステータスを表示する為のステータスボタン１７０８が押下されたかを判断する。ステータスボタン１７０８が押下されたと判断された場合は、処理はＳ２０５へ進み、押下されていないと判断された場合には、処理はＳ２０６へ進む。Ｓ２０５では、マイコン１０７はＯＳＤ部１０５を制御して、ＬＣＤパネル１７０１、外部出力１１５に対して、ステータス画面の出力を行う。この時のステータス画面の表示は、常時記録モード以外の動作モード（たとえば、通常記録モード）におけるステータス表示である。
【００２９】
図７（ａ）に、Ｓ２０５で表示される通常記録モードにおけるステータス画面の表示例を示す。図７はＳ２０５で表示部に表示される、通常時（常時記録ＯＦＦ時）のステータス画面の表示例である。このステータス画面では、メモリカードＡ１１２、メモリカードＢ１１３の情報が表示されている。表示内容としては、各メモリカードの残量７０１、記録済み容量７０２、残り記録可能時間７０３、残り静止画記録可能枚数７０４などが表示される。
【００３０】
Ｓ２０６では、マイコン１０７は、操作者による操作スイッチ群１１１の操作によって他のモードへの切り換え（以下、モードへの切り換え）が指示されたか否かを判断する。モード切り換えが指示されていると判断された場合、処理はＳ２０９へ進み、モード切り換えが指示されていないと判断された場合は、処理はＳ２０７へ進む。Ｓ２０７では、マイコン１０７は操作者が操作スイッチ群１１１を操作して画像記録装置１００に対してその他の本体操作をしたかを判断する。その他の本体操作とは例えばカメラのパラメータを変更したり、オーディオのレベルを変更したりするものである。その他の本体操作が検知された場合、処理はＳ２０８へ進み、検知されない場合、処理はＳ２１３へ進む。Ｓ２０８では、マイコン１０７は、検知された本体操作に従って画像記録装置１００の設定状態を変更する。
【００３１】
Ｓ２０９では、マイコン１０７は、操作者の操作スイッチ群１１１の操作によって画像記録装置１００に対して再生モードへの遷移が指示されたかを判断する。再生モードへの遷移が指示されている場合には処理はＳ２１１へ進み、再生モードへの遷移が指示されていない場合には処理はＳ２１０へすすむ。Ｓ２１０では、マイコン１０７は画像記録装置１００を電源オフモード処理を実行し、各機能を停止して、画像記録装置１００をパワーオフ状態に遷移させる。電源オフモード処理の詳細については、図６を用いて後述する。また、Ｓ２１１では、マイコン１０７は画像記録装置１００を制御して、再生モード処理を実行する。再生モード処理の詳細については、図５を用いて後述する。
【００３２】
Ｓ２１３では、マイコン１０７は撮影モードが完了したかを判断する。撮影モードが完了したと判断されると、本処理を終了する。撮影モードが完了していないと判断された場合、処理はＳ２０１へ戻る。
【００３３】
一方、Ｓ２０２においてメニューを開く操作が行われていると判断された場合、Ｓ２１４において、マイコン１０７は、ＯＳＤ部１０５を制御して、表示部にメニューを表示し、外部出力１１５にメニュー表示のための情報を出力する。
【００３４】
図８に、Ｓ２１４で表示するメニュー画面の表示例を示す。図８（ａ）、図８（ｂ）は、メニューの「Other Functions」の項目の階層下における、常時記録（ContinuousREC）を行うか否かの選択画面の表示例である。操作者は、操作スイッチ群１１１を操作して常時記録（ContinuousREC）をオンまたはオフすることにより、常時記録モードまたは通常記録モードのいずれかを選択できる。操作を受け付けると、マイコン１０７は画像記録装置１００の全体を制御して、選択されたモードへ画像記録装置１００を遷移させる。
【００３５】
図８（ａ）はメニューにおいて常時記録（ContinuousREC）をオン（On）とすることを選択した場合の表示例である。常時記録のオンを選択した時点で設定変更が行われ、常時記録モードとなった旨を示すモード状態表示８０１（「CONT」の文字列）が表示される。図８（ｂ）はメニューにおいて常時記録（ContinuousREC）をオフとすることを選択した場合の表示例である。常時記録のオフを選択した時点で設定が通常記録モードへ変更され、常時記録モードの場合に表示されるモード状態表示８０１（「CONT」の文字列）が非表示となる。なお、記録状態を示すＲＥＣ状態表示８０２は、画像記録装置１００が記録状態（REC）か待機状態（STBY）かを示す。なおこの常時記録（ContinuousREC）の項目は、画像記録装置１００が常時記録モードへ遷移できない状況においては、グレーアウトされ、操作者による選択が禁止される。なお、メニューでは、上記で説明した常時記録の項目（ContinuousREC）以外に、外部記録制御の設定等の項目も表示される。
【００３６】
Ｓ２１５ではマイコン１０７は、画像記録装置１００が外部記録中かを判断する。外部記録とは、外部出力１１５に映像出力とともに映像記録指示コマンドを、接続された外部装置へ出力するものである。たとえば、外部出力１１５がＳＤＩ出力の場合は、外部記録中はＳＤＩのアンシェラリーデータ（ＡＮＣデータ）の外部記録フラグがオンにセットされ、外部記録中でない時は外部記録フラグがオフにセットされる。この外部記録フラグは、外部出力１１５からの出力を受信する外部機器で受け取られ、受け取った外部機器で映像信号を記録するか否かの判断に使用される。メニューにおけるメニュー項目のうち、外部記録制御オン／オフの項目の設定値がオン状態の場合に上記制御（外部記録）が行われ、オフ状態の場合は上記制御は行われない。Ｓ２１５において外部記録中と判断された場合は、処理はＳ２１６へ進む。また、外部記録中ではないと判断された場合は、処理はＳ２１８へ進む。なお、ＳＤＩ（Serial Digital Interface）とは、主に業務用映像機器で使われている高速シリアル・インターフェース規格のことである。ＳＤＩでは、非圧縮のデジタル映像信号とデジタル音声信号を、１本の同軸ケーブルで送ることができる。
【００３７】
外部記録中と判断された場合、Ｓ２１６においてマイコン１０７は、ＯＳＤ部１０５を制御して、表示部や外部出力１１５に表示出力されるメニューの常時記録の項目をグレーアウトして、選択できないようにする。その後、処理はＳ２１８へ進む。Ｓ２１８では、マイコン１０７は、Ｓ２１４で表示されたメニューにおいて、何らかの設定変更をする操作が行われたか否かを判定する。設定変更操作が行われたと判定された場合、処理はＳ２１９に進み、設定変更操作が行われていないと判定された場合、処理はＳ２２６に進む。Ｓ２１９では、マイコン１０７は、操作者のメニュー操作により変更された後の設定、たとえば、常時記録がオンかオフかの設定、外部記録制御設定がオンかオフかの設定等、をＲＯＭ１０８にバックアップ情報として記録する。
【００３８】
Ｓ２２０では、マイコン１０７はメニューでの操作によってＳ２１９でバックアップ情報としてＲＯＭ１０８に保存された設定が、画像記録装置１００の常時記録の設定であったか否かを判断する。常時記録の設定が行われたと判断された場合は、処理はＳ２３０へ進み、常時記録の設定が行われていないと判断された場合は、処理はＳ２２１へ進む。
【００３９】
Ｓ２３０では、マイコン１０７はＲＯＭ１０８に保存されたバックアップ情報における常時記録の設定がオンかオフかを判定する。常時記録がオンの場合には、処理はＳ２２７へ進み、オフの場合には、処理はＳ２２９へ進む。Ｓ２２９では、マイコン１０７は画像記録装置１００における常時記録モードをオフ状態にする。常時記録モードがオフ状態とは、画像記録装置１００が、通常記録モードでの動画記録処理（Ｓ２１２）を実行する状態である。その後、処理はＳ２２６へ進む。Ｓ２２７では、マイコン１０７は画像記録装置１００を常時記録モードに遷移する。Ｓ２２８では、マイコン１０７は、画像記録装置１００を制御して常時記録モード処理を実行する。常時記録モードにおける動作の詳細については、図３を用いて後述する。その後、処理はＳ２１３へ進む。
【００４０】
Ｓ２２０において、常時記録の設定が行われていないと判断された場合、Ｓ２２１においてマイコン１０７はメニュー操作によって外部記録制御の設定が行われたか否かを判断する。外部記録制御の設定が行われたと判断された場合は、処理はＳ２２２へ進み、行われていないと判断された場合は、処理はＳ２２５に進む。
【００４１】
Ｓ２２２では、マイコン１０７は、Ｓ２１９でＲＯＭ１０８に記録されたバックアップ情報から、外部記録制御の設定がオンか否かを判断する。外部記録制御の設定がオンの場合、処理はＳ２２４へ進み、オフの場合、処理はＳ２２３に進む。Ｓ２２３では、マイコン１０７は外部記録をオフ状態にする。外部記録をオフ状態にするとは、たとえば、ＳＤＩの場合、Ｓ２１５で説明したようにＳＤＩのアンシェラリーデータの外部記録フラグの制御を行わない状態である。その後、処理はＳ２２６へ進む。Ｓ２２４では、マイコン１０７は外部記録をオン状態にする。外部記録をオン状態にするとは、たとえば、ＳＤＩの場合、Ｓ２１５で説明したようにＳＤＩのアンシェラリーデータの外部記録フラグの制御を行うというものである。その後、処理はＳ２２６へ進む。
【００４２】
Ｓ２２５において、マイコン１０７は、操作者が操作スイッチ群１１１を用いて行ったその他のメニュー操作に応じて、対応するメニュー処理を行う。その後、処理はＳ２２６へ進む。Ｓ２２６では、マイコン１０７は操作者の操作スイッチ群１１１の操作をうけ、メニューを閉じる操作をしたかを判断する。メニューを閉じる操作がない場合はＳ２１５に戻り、メニューを閉じる操作があった場合はＳ２０３へ進む。
【００４３】
次に、図２ＡのＳ２２８で実行される常時記録モード処理について図３を用いて説明する。なお、図３Ａ〜図３Ｃのフローチャートによって示される各処理は、画像記録装置１００を構成するマイコン１０７がＲＯＭ１０８に保存されているプログラムを実行することにより実現される。
【００４４】
Ｓ３０１〜Ｓ３１３は、常時記録モードにおける待機中（リアル記録／バーチャル記録が行われていない間）の処理ループを示している。Ｓ３０１では、マイコン１０７は、画像記録装置１００をダブル記録設定状態にする。ダブル記録とは、メモリカードＡ１１２とメモリカードＢ１１３に同じ映像データを記録するモードである。ダブル記録を実行するか否かは後述の処理で判断される。ここでは、あくまで本体の設定としてダブル記録が設定されているか否かが判定される。Ｓ３０２では、マイコン１０７はＯＳＤ部１０５を制御して画像記録装置１００の表示を常時記録モードでの待機表示にする。
【００４５】
図９（ａ）に、常時記録モードにおける記録待機中の表示例を示す。スルー画像９００（ライブビュー画像）に重畳して、モード状態表示９０１、ＲＥＣ状態表示９０２が表示される。また、スルー画像９００に重畳して、メモリカードＡ１１２の残記録可能時間９０３、メモリカードＢ１１３の残記録可能時間９０４、常時記録におけるバーチャル記録での記録済時間９０５が表示される。なお、図９に関して以下に説明する表示形態は一例であり、以下に説明される状態の通知を達成できる表示形態であれば他の表示形態が用いられてもよい。
【００４６】
モード状態表示９０１は常時記録モードがオンとなっているかオフとなっているかを示す。オンとなっている場合は「CONT」の文字列が表示され、オフとなっている場合は「CONT」の文字列は非表示となる。また、このモード状態表示９０１は常時記録モードにおけるリアル記録中であるかどうかの表示も兼ねている。リアル記録中であれば「CONT」の文字列について、枠の付与、網掛け、赤色表示などを行い、リアル記録中でなければ「CONT」の文字列が通常どおりに（たとえば、枠や網掛け無しで、白く）表示される。
【００４７】
ＲＥＣ状態表示９０２は、常時記録においては、バーチャル記録中であるかどうかを示しており、バーチャル記録中であれば「●REC」との表示アイテムが表示され、バーチャル記録中でなければ「STBY」との表示アイテムが表示される。なお、通常記録モードである場合には、ＲＥＣ状態表示９０２はバーチャル記録中であるか否かではなく、リアル記録中であるか否かを示す。すなわち、通常記録モードでは、リアル記録中であれば「●REC」と表示され、リアル記録中でなければ「STBY」と表示される。
【００４８】
バーチャル記録での記録済時間９０５には、メモリカードＡ１１２とメモリカードＢ１１３に既に記録されているバーチャルプレイリストのイン点とアウト点に記録された動画（バーチャル記録部分）のうち、長い方の時間が表示される。記録中の動画に対してイン点とアウト点の対が複数記録済みである場合は、それらのイン点からアウト点までの合計時間（すなわち、記録中の動画に関連付けて記録されたイン点とアウト点に対応する複数のシーンの合計時間）となる。ウェディング等の限られたイベントを撮影する際、実記録（リアル記録部分）がきちんと行われているのかの状況把握が必要であるが、モード状態表示９０１とＲＥＣ状態表示９０２の表示によって撮影者はそれらの状況を把握することが可能である。また、撮影者は、撮影後の編集で用いることを意図して記録した部分（バーチャル記録時間）が、編集後の動画に必要とされる時間分に足りるだけ撮影されているかどうかを把握する必要がある。これに対し、バーチャル記録での記録済時間９０５の表示を見ることで、ユーザはバーチャル記録で記録された部分の長さを把握することができる。バーチャル記録で記録された部分とは、撮影者が念のため撮影していた部分（リアル記録のみの部分）ではなく、撮影後の編集後の動画作品に必要な部分であると考えて撮影した部分である。従ってバーチャル記録で記録された部分の長さを把握することで、編集後の動画に必要とされる時間分に足りるだけ撮影されているかどうかを把握することができる。
【００４９】
Ｓ３０３では、マイコン１０７は、操作者がメニューボタン１７０７を操作してメニューを開く指示を行ったか否かを判断する。メニューを開く指示が行われていれば処理はＳ３０４へ進み、行われていなければ処理はＳ３１４へ進む。Ｓ３０４では、マイコン１０７は、操作者がステータスボタン１７０８を押下したかを判断する。ステータスボタン１７０８が押下されていれば処理はＳ３０５へ進み、ステータスボタン１７０８が押下されていなければ処理はＳ３０６へ進む。Ｓ３０５では、マイコン１０７はＯＳＤ部１０５を制御して、ＬＣＤパネル１７０１、外部出力１１５に対して、ステータス画面の出力を行う。
【００５０】
図１０（ａ）に、Ｓ３０５で表示される、常時記録モードにおいてリアル記録とバーチャル記録が停止中であるときのステータス画面の表示例を示す。図７で説明した通常記録モードにおけるステータス画面で表示される情報のほか、メモリカード別に、リアルプレイストに記録されているシーンの再生総時間１００１、バーチャルプレイストに記録されているシーンの再生総時間１００２が表示される。
【００５１】
Ｓ３０６では、マイコン１０７は操作者がＳＴＡＲＴ／ＳＴＯＰボタン１７０５を押下したかを判断する。ＳＴＡＲＴ／ＳＴＯＰボタン１７０５が押下されていないと判断された場合、処理はＳ３０７へ進み、押下されたと判断された場合は、処理はＳ３２６へ進む。Ｓ３０７では、マイコン１０７は電源スイッチ１７０６の操作によりモード切り換えが指示されたか否かを判断する。モード切り換えが指示されていれば、処理はＳ３１０へ進み、モード切り換えが指示されていなければ、処理はＳ３０８へ進む。Ｓ３０８では、マイコン１０７は操作者が操作スイッチ群１１１に対してその他の操作をしたか否かを判断する。その他の操作とは例えば撮影に関する設定パラメータを変更したり、オーディオのレベルを変更したりするものである。その他の操作がなされている場合は、処理はＳ３０９へ進み、設定変更した内容に則した処理を行う。その他の操作がなされていない場合は、処理はＳ３１３へ進む。
【００５２】
Ｓ３１０では、マイコン１０７は操作者の電源スイッチ１７０６への操作により、再生モードへの遷移が指示されたか否かを判断する。再生モードへの遷移が指示された場合は、処理はＳ３１２へ進む。電源スイッチ１７０６が操作され、この操作が再生モードへの切り換えではない場合は、電源オフモードへの切り換えである。したがって、この場合は、処理はＳ３１１へすすむ。Ｓ３１１では、マイコン１０７は電源オフモード処理を実行する。すなわち、マイコン１０７は、画像記録装置１００の機能を停止し、電源オフ状態に遷移させる。電源オフモード処理の詳細については、図６を用いて後述する。その後、Ｓ３１３へ進む。また、Ｓ３１２では、マイコン１０７は、画像記録装置１００を再生モードに遷移させる。再生モードの処理の詳細については、図５を用いて後述する。その後、処理はＳ３１３へ進む。
【００５３】
Ｓ３１３では、マイコン１０７は画像記録装置１００において常時記録モードが終了したか否かを判断する。常時記録モードが終了していない場合は、処理はＳ３０１へ進み、常時記録モードが終了した場合は本処理を終了する。たとえば、他のモードへの切り換えが指示されている場合や、電池の残容量が無くなったなどの終了要因があった場合には、常時記録モードは完了する。
【００５４】
Ｓ３０３においてメニューを開く指示が行われていると判断されると、処理はＳ３１４へ進む。Ｓ３１４〜Ｓ３２４の処理は、常時記録モードにおける待機動作中のメニュー処理である。Ｓ３１４では、マイコン１０７は、ＯＳＤ部１０５を制御して、表示部にメニューを表示させ、外部出力１１５にメニューの表示画面を出力する。メニューの表示処理はＳ２１４と同様であり、図８のようなメニュー画面が表示される。Ｓ３１５では、マイコン１０７は、Ｓ３１４で表示したメニューにおいて何らかの設定変更をする操作が行われたか否かを判定する。設定変更操作が行われた場合はＳ３１６に進み、設定変更操作が行われていない場合はＳ３２４に進む。
【００５５】
Ｓ３１６では、マイコン１０７はメニューでの操作によって操作者が変更した変更後の各メニュー項目の設定内容を、ＲＯＭ１０８にバックアップ情報として記録する。Ｓ３１７では、マイコン１０７は、バックアップ情報を参照して操作者がメニューでの操作によって外部記録制御の設定を行ったかを判断する。外部記録制御の設定が行われた場合は、処理はＳ３１８へ進み、行われていない場合は、処理はＳ３２１に進む。
【００５６】
Ｓ３１８では、マイコン１０７はＳ２２１で設定された外部記録制御の設定がオンか否かをＲＯＭ１０８に記録されたバックアップ情報から判断する。外部記録制御の設定がオンだった場合、処理はＳ３２０へ進み、オフだった場合、処理はＳ３１９に進む。Ｓ３１９では、マイコン１０７は外部記録をオフ状態にする。外部記録をオフ状態にするとは、たとえば、ＳＤＩの場合、Ｓ２１５で説明したようにＳＤＩのアンシェラリーデータの外部記録フラグの制御を行わない状態というものである。一方、Ｓ３２０では、マイコン１０７は外部記録をオン状態にする。外部記録をオン状態にするとは、たとえば、ＳＤＩの場合、Ｓ２１５で説明したようにＳＤＩのアンシェラリーデータの外部記録フラグの制御を行うというものである。
【００５７】
Ｓ３２１では、マイコン１０７は、メニューで常時記録開始／停止の項目が選択されたことによって（すなわちＳＴＡＲＴ／ＳＴＯＰボタン１７０５の押下によってではなく）常時記録開始（リアル記録／バーチャル記録の開始）が設定されたかを判断する。常時記録開始が設定されていた場合、処理はＳ３２５へ進み、常時記録開始が設定されていない場合は、処理はＳ３２２へ進む。
【００５８】
Ｓ３２２では、マイコン１０７は、常時記録モードがオンに設定されているか否か判断する。これは、現在の動作モードが常時記録モードであるので、メニュー画面での操作によって常時記録がオフに設定されたか否かの判定である。常時記録モードがオフに設定されている場合は常時記録モードが終了し、処理は図２のＳ２０２へ進む。常時記録モードがオンに設定されている場合は、処理はＳ３２３へ進む。Ｓ３２３では、マイコン１０７はメニュー画面でなされたその他の操作に応じたメニュー処理を行う。
【００５９】
次に、Ｓ３２４では、マイコン１０７は操作者の操作スイッチ群１１１の操作をうけ、メニューを閉じる操作がなされたか否かを判断する。メニューを閉じる操作がなされていない場合は、処理はＳ３１５に戻る。メニューを閉じる操作があった場合は、マイコン１０７は、ＯＳＤ部１０５を制御して、表示部に表示していたメニュー表示及び、外部出力１１５に出力していたメニュー表示を終了する処理を行い、処理をＳ３０４へ進める。
【００６０】
Ｓ３２１で常時記録開始が設定されたと判断されると処理はＳ３２５へ進む。Ｓ３２５では、マイコン１０７は、ＯＳＤ部１０５を制御して、表示部に表示していたメニューの表示及び、外部出力１１５に出力していたメニュー表示を終了する処理を行う。その後、Ｓ３２６へ進む。
【００６１】
Ｓ３２６〜Ｓ３３６は、常時記録モードにおいてリアル記録とバーチャル記録を開始する処理である。まずＳ３２６において、マイコン１０７はメモリカードＡ１１２とメモリカードＢ１１３がマウント状態かを判断する。両メディアともマウント状態である場合、処理はＳ３２７へ進み、片方のメディアしかマウントされていない場合、処理はＳ３２８へ進む。
【００６２】
なお、メモリカードが装着されるとマウント処理が行われる。マウント処理とは、メモリカードをアクセス可能な状態にする他、すでに装着されたメモリカードに動画ファイルが記録されている場合は、装着されたメモリカードに記録されたリアルプレイリスト等の管理情報をＲＡＭ１０９に展開する処理も行う。また、リアルプレイリスト、バーチャルプレイリストに記録されている各シーンのイン点、アウト点の時間より、各カードに記録されているリアルプレイリストのシーンの総時間、バーチャルプレイリストのシーンの総時間を加算し、ＲＡＭ１０９に保持しておく。以下に説明する実施形態の記録動作では特に明記しないが、ＲＡＭ１０９に保持されている各プレイリストのシーンの総時間は、対象となる各プレイリストに対して動画のシーンの記録が行われる毎に更新されていく。
【００６３】
Ｓ３２７では、マイコン１０７は画像記録装置１００を制御して、ダブル記録状態に遷移させる。ダブル記録状態とは、メモリカードＡ１１２とメモリカードＢ１１３の双方に対して動画記録が出来る状態である。このモード（ダブル記録状態）に入っていない場合、画像記録装置１００は、メモリカードＡ１１２とメモリカードＢ１１３のどちらかしか動画像を記録しないシングル記録状態である。後述の説明では、特にダブル記録とシングル記録について明記しないが、画像記録装置１００がシングル記録状態の場合には、Ｓ３２７においてマイコン１０７はメモリカードＡ１１２とメモリカードＢ１１３のどちらかに動画像を記録する状態とする。また、画像記録装置１００がダブル記録状態だった場合には、メモリカードＡ１１２とメモリカードＢ１１３の両方に対して動画像を記録する。
【００６４】
Ｓ３２８では、マイコン１０７は、リアル記録の継続条件、バーチャル記録の継続条件をチェックする。メモリカードＡ１１２とメモリカードＢ１１３の双方が装着されていない（メディア無しの状態）、もしくは、メモリカードを装着するスロットの蓋があいているか（蓋の開状態）を判断する。メディア無しの状態、あるいは、蓋の開状態であった場合、処理はＳ３２９へ進み、何れの状態でもない場合は、処理はＳ３３１へ進む。なお、リアル記録を継続できない条件としては、この他に、
・メモリカードに記録されたデータ量が該記録媒体の容量の上限に達している、
・メモリカードに記録されたシーンの数が上限に達している、
・メモリカードに記録されたリアルプレイリストの数が上限に達している、
ことなどが挙げられる。また、バーチャル記録を行うことができない条件としては、
・メモリカードに記録されたバーチャル記録シーン数が上限に達している、
・メモリカードに記録されたバーチャルプレイリスト数が上限に達している、
ことなどが挙げられる。これらの少なくともいずれかの条件と合致した場合、継続条件を満足しないと判断され、処理はＳ３２９へ進む。Ｓ３２９では、マイコン１０７は、ＯＳＤ部１０５を制御して、表示部、外部出力１１５に記録が出来ない旨の警告を表示する。この際の原因に応じた表示例を図１６（ａ）、図１６（ｂ）、図１６（ｃ）、図１６（ｄ）、図１６（ｅ）に示す。
【００６５】
Ｓ３３０では、マイコン１０７は、ＯＳＤ部１０５を制御して、表示部に常時記録ができない旨のガイド(警告)を表示し、同様のガイド（警告）を外部出力１１５から出力する。図９（ｂ）に、Ｓ３３０で表示される、常時記録オンにおける記録不可状態での表示例を示す。この場合、スルー画像９００上に記録開始処理ができない旨のメッセージ９０６が表示される。また、メモリカードＡ１１２の残記録可能時間９０３、メモリカードＢ１１３の残記録可能時間９０４に含まれる「Ａ」「Ｂ」の文字を、常時記録が不可の状態である旨の表示形態（たとえば、赤色を用いて）で表示する（通常は白色で表示される）。この時、各メモリカードの残時間の数値は表示されない。
【００６６】
Ｓ３３１では、マイコン１０７は常時記録の動画記録処理を行う。常時記録の動画記録処理とは、レンズユニット１０１が取り込んだ光をＣＣＤ１０２で光電変換しカメラ信号処理部１０３で信号処理したものを圧縮伸張回路１０４で圧縮し、記録再生回路１１０でメモリカードＡ１１２、Ｂ１１３に記録するという処理である。Ｓ３３２において、マイコン１０７はＲＡＭ１０９に展開されているリアルプレイリストに、Ｓ３３１で動画記録を開始した動画の情報を新たなシーンとしてリアルプレイリストに追記する。Ｓ３３３では、マイコン１０７はＲＡＭ１０９に展開されているリアルプレイリストに、Ｓ３３１で動画記録を開始した映像データの先頭のフレームのタイムスタンプ、すなわち、ＰＴＳ（Presentation Time Stamp）をＳ３３２のシーンのイン点として記録する。
【００６７】
Ｓ３３４では、マイコン１０７は、Ｓ３３１で記録開始された動画（すなわち記録中の動画）に関連付いた管理情報（属性情報）として、ＲＡＭ１０９上に新たなバーチャルプレイリストを作成する。Ｓ３３５では、マイコン１０７は、Ｓ３３４で作成したＲＡＭ１０９上のバーチャルプレイリストに新規のシーンを記録し、そのシーンのイン点に、Ｓ３３１で動画記録開始した映像データの最初のＩpictureのＰＴＳを記録する（属性記録）。その後、Ｓ３３６へ進む。Ｉpictureは、ＧＯＰ（Group Of Picture）を構成するフレームの１つであり、他のフレームを参照しないで符号化されたフレームであり、このフレームのデータだけで再生が可能である。Ｓ３３６では、マイコン１０７はＯＳＤ部１０５を制御し、リアルプレイリストとバーチャルプレイリストの両方に対して動画像を記録中である（すなわち、リアル記録とバーチャル記録が実行されている）旨を表示部に表示し、外部出力１１５に出力する。
【００６８】
図９（ｃ）に、Ｓ３３６で表示される、常時記録モードにおいてリアル記録中かつバーチャル記録中である場合の表示例を示す。常時記録モードがオンであることを示すモード状態表示９０１の表示形態を、記録待機中（白）とは異なる表示形態（例えば赤）で表示することで、リアルプレイリストに動画像を記録中（リアル記録中）であることを示している。また、ＲＥＣ状態表示９０２が「●REC」と表示されることによって、バーチャルプレイリストに動画像を記録中（バーチャル記録中）であることを示している。バーチャル記録中とは、メモリカードへの動画記録中にバーチャルプレイリストにイン点を記録し、対応するアウト点が記録されていない状態である。すなわち、最後に記録されたのがアウト点ではなくイン点である状態である。
【００６９】
また、バーチャルプレイリストに記録していない間は、ＲＥＣ状態表示９０２は「●REC」ではなく「STBY」となる。バーチャルプレイリストに記録していない間とは、メモリカードへの動画の記録（リアル記録）は行われているが、バーチャルプレイリストに、対となるアウト点の無いイン点が存在しない状態である。すなわち、「バーチャルプレイリストに記録していない間」とは、常時記録モードにおいてリアル記録のみが行われており、バーチャル記録が行われていない状態である。
【００７０】
さらに、ＲＡＭ１０９に保存されている、メモリカードＡ１１２のバーチャルプレイリストのシーンの総時間とメモリカードＢ１１３のバーチャルプレイリストのシーンの総時間のうち長い方の時間が、バーチャル記録での記録済時間９０５に表示される。ここではバーチャル記録中であるため、記録時間を継続することでこの時間は順次加算されていく。たとえば、メモリカードＡ１１２には１分５１秒、メモリカードＢ１１３には、１分のシーンがバーチャルプレイリストに記録されていた際は、メモリカードＡ１１２のバーチャルプレイリストのシーンの総時間１分５１秒が表示される。すなわち、バーチャル記録での記録済時間９０５は、図９（ｃ）の状態では、記録中の動画に関連付けて記録済みであるイン点とアウト点の対のイン点からアウト点までの時間と、最後にイン点が記録されてから現在までの時間との合計時間となっている。
【００７１】
Ｓ３３７〜Ｓ３４９は、常時記録モードにおいてリアル記録中且つバーチャル記録中の処理を示している。Ｓ３３７では、マイコン１０７は、外部記録制御がオンに設定されているかを判断する。外部記録制御がオンに設定されている場合は、処理はＳ３３８へ進み、外部記録制御がオンに設定されていない場合は、処理はＳ３３９へ進む。Ｓ３３８において、マイコン１０７は外部出力１１５に対して外部記録フラグを出力し外部での記録を開始させる。詳細はＳ２１５で説明した処理と同様である。
【００７２】
Ｓ３３９では、マイコン１０７は、操作者がステータスボタン１７０８を押下したか否かを判断する。ステータスボタン１７０８が押下されたと判断された場合は、処理はＳ３４０へ進み、ステータスボタン１７０８が押下されていないと判断された場合は、処理はＳ３４１へ進む。Ｓ３４０では、マイコン１０７はＯＳＤ部１０５を制御して、ステータス画面を表示部に表示するとともに、外部出力１１５に出力する。表示されるステータス画面はＳ３０５によるステータス画面（図１０（ａ））と同様である。但し、Ｓ３４０では、リアルプレイリスト、バーチャルプレイリストともに記録中である為、リアルプレイリストに記録されているシーンの再生総時間１００１、バーチャルプレイリストに記録されているシーンの再生総時間１００２が共にカウントアップされる。
【００７３】
Ｓ３４１では、マイコン１０７は、操作者によりＳＴＡＲＴ／ＳＴＯＰボタン１７０５が押下されたか否かを判断する。押下されたと判断された場合は、バーチャル記録の停止が指示されたものとして処理はＳ３６７に進む。押下されていないと判断された場合は、処理はＳ３４２に進む。Ｓ３４２では、マイコン１０７は、メモリカードＡ１１２とメモリカードＢ１１３の状態を取得し、どちらか片方でも記録可能容量無しであるか、もしくはこれらメモリカードのカードスロットの蓋があいているかを判断する。その他、Ｓ３２８に関して上述した条件を判定してもよい。Ｓ３４２の判断の結果がＹＥＳの場合、処理はＳ３４０に進み、ＮＯの場合は、処理はＳ３４３に進む。
【００７４】
Ｓ３４３ではマイコン１０７は、操作者がメニューボタン１７０７を操作してメニューを開く指示を行ったか否かを判断する。メニューを開く指示が行われた場合は、処理はＳ３５０へ進み、行われていない場合は、処理はＳ３４４へすすむ。Ｓ３４４では、マイコン１０７は、操作者の電源スイッチ１７０６への操作によりモード切り換えが指示されたか否かを判断する。モード切り換えが指示された場合は、処理はＳ３４７へ進み、指示されていない場合は、処理はＳ３４５へ進む。
【００７５】
Ｓ３４５では、マイコン１０７は操作者が操作スイッチ群１１１に対してその他の操作をしたか否かを判断する。その他の操作とは例えば撮影に関する設定パラメータを変更したり、オーディオのレベルを変更したりするものである。その他の操作がなされている場合、処理はＳ３４６へ進み、設定変更した内容に則した処理が実行される。その他の操作がなされていない場合は、処理はＳ３３７へ戻る。
【００７６】
Ｓ３４７では、撮影モードを抜けるために、マイコン１０７は、記録中のシーンの記録中断のための処理を行う。より具体的には、まずマイコン１０７は、記録したシーンのイン点と対となるアウト点を、ＲＡＭ１０９上のバーチャルプレイリストに記録する。なお、このアウト点は、Ｓ３４４の直後（モード切り換え指示があった直後）のＩpictureのＰＴＳである。Ｓ３４８では、マイコン１０７は、外部記録がオンに設定されているか否かを判断する。外部記録がオンに設定されている場合、処理はＳ３４９に進み、マイコン１０７は外部出力１１５に対して出力している外部記録中であるフラグを、外部記録停止中の状態にする（外部記録を停止させる）。その後、処理はＳ３９０へ進む。
【００７７】
一方、Ｓ３４３でメニューを開く指示がなされたと判定された場合、処理はＳ３５０へ進む。Ｓ３５０〜Ｓ３５９は、リアル記録およびバーチャル記録を実行中におけるメニュー処理である。Ｓ３５０において、マイコン１０７は、ＯＳＤ部１０５を制御して、表示部にメニューを表示し、外部出力１１５にメニューを出力する。これはＳ２１４と同等の処理である。Ｓ３５１では、マイコン１０７は、Ｓ３５０で表示したメニューにおいて、何らかの設定変更をする操作が行われたか否かを判定する。設定変更操作が行われたと判定された場合、処理はＳ３５２に進み、設定変更操作が行われていないと判定された場合はＳ３５９に進む。Ｓ３５２では、マイコン１０７はメニューでの操作によって操作者が変更した変更後の設定を、ＲＯＭ１０８にバックアップ情報として記録する。
【００７８】
Ｓ３５３では、マイコン１０７は、メニューで常時記録開始／停止の項目が選択されたことによって（すなわちＳＴＡＲＴ／ＳＴＯＰボタン１７０５の押下によってではなく）常時記録が停止に設定されたかを判断する。常時記録停止が設定された場合、処理はＳ３６２へ進み、常時記録停止が設定されていない場合は、処理はＳ３５４へ進む。Ｓ３５４では、マイコン１０７は操作者がメニューでの操作によって外部記録制御の設定を行ったかを判断する。外部記録制御の設定が行われている場合は、処理はＳ３５５へ進み、外部記録制御の設定が行われていない場合は、処理はＳ３５８に進む。
【００７９】
Ｓ３５５では、マイコン１０７はＳ３５４で設定された外部記録制御の設定がオンか否かを判断する。外部記録制御の設定がオンの場合、処理はＳ３５７へ進み、外部記録制御の設定がオフの場合際は、処理はＳ３５６に進む。Ｓ３５６では、マイコン１０７は外部記録をオフ状態にし、処理をＳ３５９へ進める。Ｓ３５７では、マイコン１０７は外部記録をオン状態にして、処理をＳ３５９へ進める。Ｓ３５８では、マイコン１０７はその他のメニュー操作に応じた処理を行い、処理をＳ３５９へ進める。
【００８０】
Ｓ３５９では、マイコン１０７は操作者の操作スイッチ群１１１の操作をうけ、メニューを閉じる操作が行われたか否かを判断する。メニューを閉じる操作が行われたと判断された場合は、マイコン１０７は、ＯＳＤ部１０５を制御して、表示部に表示していたメニュー表示及び、外部出力１１５に出力していたメニュー表示を終了する処理を行い、処理をＳ３４４へ進める。メニューを閉じる操作が行われていないと判断された場合は、処理はＳ３５１へ戻る。
【００８１】
また、Ｓ３４２において、メモリカードの少なくとも一方が記録可能容量無しであると判定された場合、もしくはこれらメモリカードのカードスロットの蓋があいていると判定された場合、処理は３６０へ進む。Ｓ３６０〜Ｓ３６６では、リアル記録とバーチャル記録の停止が行われる。まず、Ｓ３６０において、マイコン１０７は、ＯＳＤ部１０５を制御して、記録ができない旨の警告を表示部に表示するとともに、外部出力１１５に同様の表示出力を行う。この際の警告表示の一例としては、図１６（ｂ）や図１６（ｃ）などがある。Ｓ３６１では、マイコン１０７は、ＯＳＤ部１０５を制御して、表示部、外部出力１１５に常時記録不可表示を行う。ここでの表示内容はＳ３４０で説明した内容（図１０（ａ））と同じである。
【００８２】
Ｓ３６２では、マイコン１０７は、Ｓ３３５で記録したシーンのイン点と対となるアウト点を、ＲＡＭ１０９上のバーチャルプレイリストに記録する。なお、このアウト点は、Ｓ３４２でＹＥＳと判定された直後（カードフルとなったかカード蓋が空けられた直後）か、Ｓ３５３でＹＥＳと判定された直後（メニューで常時記録の停止が設定された直後）のＩpictureのＰＴＳである。Ｓ３６３では、マイコン１０７は外部記録がオンに設定されているか否かを判断する。外部記録がオンになっている場合は、処理はＳ３６４に進み、オフになっている場合は、処理はＳ３６５へ進む。Ｓ３６４では、マイコン１０７は、外部出力１１５に対して出力していた外部記録中であるフラグを、外部記録停止中の状態にして出力する（外部記録を停止させる）。なお、Ｓ３２１やＳ３５３における、メニューからの常時記録の開始、停止操作（常時記録モードにおけるリアル記録の開始、停止）を、メニューを開かなくとも、ＳＴＡＲＴ／ＳＴＯＰボタン１７０５とは別の操作スイッチにて行えるようにしてもよい。
【００８３】
Ｓ３６５では、マイコン１０７は、Ｓ３３１で開始した記録動作を停止させ、停止したフレームのＰＴＳを、ＲＡＭ１０９に展開されているリアルプレイリストに、Ｓ３３３で記録したイン点と対になるアウト点として記録する。この時のアウト点は、Ｓ３６２でバーチャルプレイリストに記録したアウト点と同じとしてもよい。Ｓ３６６では、Ｓ３６５で記録停止した動画の動画ファイルのファイルクローズ処理を行う。また、ＲＡＭ１０９に保存されているリアルプレイリストとバーチャルプレイリストをメモリカードＡ１１２とメモリカードＢ１１３のどちらか、もしくはその両方に書き込む。バーチャルプレイリストは、記録停止した動画の動画ファイルと同一のディレクトリに記録する。これによって、後にメモリカードを参照した場合にもバーチャルプレイリストと動画ファイルが関連付けられたものとして扱うことができる。
【００８４】
他方、Ｓ３６７〜Ｓ３９１は、でＹＥＳと判断された場合の処理、すなわちバーチャル記録中にＳＴＡＲＴ／ＳＴＯＰボタン１７０５が押下されたことによりバーチャル記録を停止（リアル記録は停止しない）する際の処理である。Ｓ３６７では、マイコン１０７は、Ｓ３３５で、記録したシーンのイン点と対となるアウト点を、ＲＡＭ１０９上のバーチャルプレイリストに記録する。なお、このアウト点は、Ｓ３４１でＹＥＳと判断された直後（バーチャル記録中にＳＴＡＲＴ／ＳＴＯＰボタン１７０５が押下された直後）のＩpictureのＰＴＳである。Ｓ３６８では、マイコン１０７は、ＯＳＤ部１０５を制御して、表示部に、常時記録中で、バーチャル記録は停止中である旨の表示をする。また、同様の表示を外部出力１１５に出力する。
【００８５】
図９（ｄ）に、Ｓ３６８で表示される、常時記録モードがオンで、リアル記録中であり、かつ、バーチャル記録が停止中の場合の表示例を示す。リアル記録中であるため、モード状態表示９０１の「CONT」の文字列は赤く表示されるが、バーチャル記録は停止中であるため、ＲＥＣ状態表示９０２は「STBY」と表示されている。これらを見ることで、ユーザは、現在の動作状態が常時記録モードでリアル記録中であるがバーチャル記録中では無い状態であることを把握することができる。この状態では、バーチャル記録での記録済時間９０５は、バーチャルプレイリストに（記録中の動画に関連付けて）イン点とアウト点の複数の対が記録済みである場合には、イン点からアウト点までの時間の複数対分の合計時間となる。  
【００８６】
Ｓ３６９では、マイコン１０７は外部記録をオンにしているか否かを判断する。外部記録をオンにしている場合は、処理はＳ３７０に進み、外部記録をオンにしていない場合は、処理はＳ３７１へ進む。Ｓ３７０において、マイコン１０７は外部出力１１５に対して出力していた外部記録中であるフラグを、外部記録停止中の状態にして出力する。こうして、バーチャルプレイリストのアウト点の記録に連動して外部記録を停止させることができる。このように、外部記録はリアルプレイリストの記録でなく、バーチャル記録（バーチャルプレイリストのイン点／アウト点）に連動して実行させる。
【００８７】
次に、Ｓ３７１では、マイコン１０７は、ＲＡＭ１０９に展開されているバーチャルプレイリストのシーン数が上限であるかを判断する。シーン数が上限に達した場合は、処理はＳ３７２へ進み、達していない場合は、処理はＳ３７３へ進む。なおこのシーン数の上限は、本実施形態では９５０シーンとするが、これに限られるものではない。Ｓ３７２では、マイコン１０７は、ＯＳＤ部１０５を制御して、表示部にバーチャル記録の上限である旨の警告表示を出力する。同様の表示を外部出力１１５にも出力する。Ｓ３７２において出力される警告画面の例を図１６（ｅ）に示す。
【００８８】
Ｓ３７３では、マイコン１０７は操作者がＳＴＡＲＴ／ＳＴＯＰボタン１７０５を押下したかを判断する。ＳＴＡＲＴ／ＳＴＯＰボタン１７０５が押下された場合は、処理はＳ３３５へ戻り、バーチャルプレイリストにイン点が記録されて新たなバーチャル記録が開始される。ＳＴＡＲＴ／ＳＴＯＰボタン１７０５が押下されていないと判断された場合は、処理はＳ３７４へ進む。
【００８９】
Ｓ３７４では、マイコン１０７は、操作者がステータスボタン１７０８を押下したか否かを判断する。ステータスボタン１７０８が押下されたと判断された場合は、処理はＳ３７５へ進み、ステータスボタン１７０８が押下されていないと判断された場合は、処理はＳ３７６へ進む。Ｓ３７５では、マイコン１０７はＯＳＤ部１０５を制御して、ステータス画面を表示部に表示する。同様の表示を外部出力１１５にも出力する。図１０（ｂ）に、Ｓ３７５で表示される、常時記録モードがオンで、かつリアル記録のみ行っている（バーチャル記録は行っていない）状態におけるステータス画面の表示例を示す。リアルプレイリストのみが記録中である為、リアルプレイリストの記録時間である１００３のみがカウントアップされている。
【００９０】
Ｓ３７６では、マイコン１０７は、メモリカードＡ１１２とメモリカードＢ１１３の状態を取得し、残記録可能容量なしかどうか（カードフルかどうか）を判断する。残記録容量なしの場合は、処理はＳ３６５に進み、全記録容量がある場合は、処理はＳ３７７に進む。Ｓ３７７では、マイコン１０７は、操作者が操作スイッチ群１１１を操作してメニューを開く指示を画像記録装置１００に対して行ったか否かを判断する。メニューを開く指示が行われている場合は、処理はＳ３７８へ進み、メニューを開く指示が行われていない場合は、処理はＳ３８９へ進む。
【００９１】
Ｓ３７８では、マイコン１０７は、ＯＳＤ部１０５を制御して、表示部、外部出力１１５にメニューの表示処理を表示する。表示処理はＳ２１４と同等である。Ｓ３７９では、マイコン１０７は、Ｓ３７８で表示されたメニューにおいて、何らかの設定変更をする操作が行われたか否かを判定する。設定変更操作が行われた場合は、処理はＳ３８０に進み、設定変更操作が行われていない場合は、処理はＳ３８７に進む。Ｓ３８０では、マイコン１０７はＳ３７８で操作者が変更した変更後の設定を、ＲＯＭ１０８にバックアップ情報として記録する。
【００９２】
Ｓ３８１では、マイコン１０７は、実行された設定変更操作が外部記録制御の設定変更であるか否かを判定する。外部記録制御の設定変更であった場合は、処理はＳ３８２へ進み、外部記録制御の設定変更ではない場合は、処理はＳ３８５へ進む。Ｓ３８２において、マイコン１０７は、Ｓ３７８で記録されたバックアップ情報を参照して、外部記録制御の設定がオンか否かを判断する。外部記録制御の設定がオンの場合、処理はＳ３８４へ進み、オフの場合、処理はＳ３８３に進む。Ｓ３８３では、マイコン１０７は外部記録をオフ状態にする。また、Ｓ３８４では、マイコン１０７は外部記録をオン状態にする。
【００９３】
Ｓ３８５では、マイコン１０７は、実行された設定変更操作が常時記録を停止に設定する操作であるか否かを判断する。常時記録を停止に設定する操作がなされた場合は、処理はＳ３６５へ進み、そうでない場合はＳ３８６へ進む。Ｓ３８６では、マイコン１０７は操作者による操作スイッチ群１１１の操作をうけ、その他のメニュー処理を行う。
【００９４】
Ｓ３８７では、マイコン１０７は操作者の操作スイッチ群１１１の操作をうけ、メニューを閉じる操作がなされたか否かを判断する。メニューを閉じる操作がなされてないと判断された場合は、処理はＳ３７９に戻る。一方、メニューを閉じる操作がなされたと判断された場合は、マイコン１０７は、ＯＳＤ部１０５を制御して、表示部、外部出力１１５に表示していたメニュー表示を終了する処理を行い、処理をＳ３８９へ進める。
【００９５】
Ｓ３８９では、マイコン１０７は操作者による操作スイッチ群１１１の操作においてモード切り換えが指示されたか否かを判断する。モード切り換えが指示されたと判断された場合、処理はＳ３９０へ進み実行中のリアル記録を停止する。モード切り換えが指示されていないと判断された場合は、処理はＳ３９２へ進む。Ｓ３９０では、マイコン１０７は、Ｓ３３１で開始した記録動作を停止させ、停止したフレームのＰＴＳを、Ｓ３３３でリアルプレイリストに記録されたイン点と対になるアウト点として、ＲＡＭ１０９に展開されているリアルプレイリストに記録する。Ｓ３９１では、マイコン１０７は、ＲＡＭ１０９に保存されているリアルプレイリストとバーチャルプレイリストをメモリカードＡ１１２とメモリカードＢ１１３のどちらか、もしくはその両方に書き込む。
【００９６】
Ｓ３９２では、マイコン１０７は操作者が操作スイッチ群１１１を操作して画像記録装置１００に対してその他の本体操作をしたかを判断する。その他の本体操作がなされたと判断された場合は、処理はＳ３９３へ進み、その他の本体操作がなされていないと判断された場合は、処理はＳ３７３へ進む。Ｓ３９３では、マイコン１０７は画像記録装置１００をＳ３９２で操作者が操作した状態に変更する。その後、処理はＳ３７３へ戻る。
【００９７】
なお、ここまでの説明では、常時記録中に外部記録がオンになっているときの動作として、バーチャルプレイリストの記録に連動して外部記録を行うものとしてきたが、外部記録をリアルプレイリストの記録開始／停止に連動させるようにしてもよい。
【００９８】
図４は、前述した図２ＢのＳ２１２における、常時記録モードがオフとなっている場合、すなわち通常記録モードにおける動画記録処理の詳細を示すフローチャートである。このフローチャートにおける各処理は、たとえば、画像記録装置１００を構成するマイコン１０７がＲＯＭ１０８に保存されているプログラムを実行することにより実現される。通常の動画記録処理とは、リアルプレイリスト記録のみを行い、バーチャルプレイリスト記録を行わない記録処理である。
【００９９】
通常記録モードにおいてＳＴＡＲＴ／ＳＴＯＰボタン１７０５が操作され、動画記録処理が開始すると（Ｓ２０３，Ｓ２１２）、Ｓ４０１で通常記録モードにおけるリアル記録（通常記録）が開始される。この処理では、ＳＴＡＲＴ／ＳＴＯＰボタン１７０５の操作に応じて、画像記録装置１００の内部で記録開始するための指示が出される。この記録動作は、レンズユニット１０１が取り込んだ光をＣＣＤ１０２で光電変換しカメラ信号処理部１０３で信号処理したものを圧縮伸張回路１０４で圧縮して記録再生回路１１０でメモリカードＡ１１２、メモリカードＢ１１３に記録するというものである。
【０１００】
また、Ｓ４０２において、マイコン１０７は通常の記録を行っていることを表す画面表示を表示部に行う。この表示例を図７（ｂ）に示す。ＲＥＣ状態表示７１１は、バーチャル記録中であるか否かを表す常時記録モード中とは異なり、リアルプレイリストに記録中か否かを示す。リアルプレイリストに記録中の際は、ＲＥＣ状態表示７１１は「●REC」と表示され、記録中でない時は「STBY」と表示される。
【０１０１】
続いて、Ｓ４０３において、マイコン１０７は、ＲＡＭ１０９上に展開されているリアルプレイリストにシーンを追記する。そして、Ｓ４０４で、マイコン１０７は、Ｓ４０１で記録を開始した動画像データの最初のフレームのＰＴＳを、追加したシーンのイン点としてリアルプレイリストに記録する。Ｓ４０５では、マイコン１０７はステータスボタン１７０８が押下されたか否かを判定する。ステータスボタン１７０８が押下されていると、Ｓ４０６において、マイコン１０７は、通常の記録（通常記録モードにおけるリアル記録）を行っているときのステータス画面の表示を行う。このときの表示は、Ｓ２０５（図７（ａ））で説明したステータス画面と同様である。
【０１０２】
Ｓ４０７では、マイコン１０７はＳＴＡＲＴ／ＳＴＯＰボタン１７０５が押下されたか否かを判定する。押下されたと判定されると、リアル記録の停止処理を行うために処理はＳ４１４へ進む。Ｓ４１４において、マイコン１０７はリアルシーン数が上限に達しているか否かを確認する。リアルシーン数が上限に達していることが確認された場合、処理はＳ４１６へ進み、マイコン１０７は、リアルシーン数が上限に達していることを示す警告表示を表示部へ行う。そして、Ｓ４１７で、マイコン１０７は、これ以上のリアルシーンが記録できないことを示す画面を表示する。この際の警告表示の例を図１６（ｄ）に示す。
【０１０３】
続いて、Ｓ４１８において、マイコン１０７は、Ｓ４０４で記録したイン点に対応するアウト点をリアルプレイリストに記録する。Ｓ４１９において、マイコン１０７は、Ｓ４０１で記録を開始した動画ファイルのクローズ処理を行うともに、ＲＡＭ１０９に展開されているリアルプレイストをメモリカードＡ１１２とメモリカードＢ１１３に記録し、本処理を終了する。なお、Ｓ４１８で記録されるアウト点は、Ｓ４１９で記録を終了した動画ファイルの最終フレームのＰＴＳである。他方、Ｓ４１４でリアルシーンの上限に達していないと判定された場合、処理はＳ４１５へ進み、マイコン１０７は、通常記録の停止を表す表示画面を表示する。そして、上述のように、マイコン１０７は、リアルプレイリストにアウト点を記録し（Ｓ４１８）、動画ファイルのクローズ処理、プレイリストのメモリカードへの書き出しを行い（Ｓ４１９）、本処理を終了する。
【０１０４】
Ｓ４０７でＳＴＡＲＴ／ＳＴＯＰボタン１７０５が押下されていないと判定された場合、処理はＳ４０８へ進み、マイコン１０７は、記録する対象のメディアが片方でも容量フルになっているか、カード蓋が開いていないかを確認する。Ｓ４０８でいずれかの条件と一致した場合、Ｓ４０９において、マイコン１０７は、対応した警告画面の表示を行い、Ｓ４１０で、記録ができないことを表す警告画面の表示を表示部に行う。この際の警告画面の例を、図１６（ａ）、図１６（ｂ）に示す。その後、マイコン１０７は、リアルプレイリストにアウト点を記録し（Ｓ４１８）、動画ファイルのクローズ処理、リアルプレイリストのメモリカードへの書き出しを行い（Ｓ４１９）、本処理を終了する。
【０１０５】
Ｓ４０８で否と判定された場合、処理はＳ４１１へ進み、マイコン１０７は、他の動作モードに切り換える操作が行われたか否かを判定する。他の動作モードへ切り換える操作が行われると、強制的に動画の記録を停止するため、上述したＳ４１８、Ｓ４１９の処理が実行される。他方、Ｓ４１１で他の動作モードへの切り換えが検出されなかった場合、Ｓ４１２で、マイコン１０７は、その他の操作があったか否かを判定する。その他の操作があったと判定された場合、処理はＳ４１３へ進み、マイコン１０７は、対応する処理を行う。Ｓ４２０では、マイコン１０７は、電池残容量低下などの通常の記録モード処理を完了するイベントが発生したか否かの判定を行い、完了するイベントが発生した場合はＳ４１８に進み、そうでない場合はＳ４０５に進む。完了するイベントが発生した場合は、通常の動画記録処理を完了する。
【０１０６】
図５は、前述の図２ＢのＳ２１１、図３ＡのＳ３１２における再生モード処理のフローチャートである。このフローチャートにおける各処理は、たとえば、画像記録装置１００を構成するマイコン１０７がＲＯＭ１０８に保存されているプログラムを実行することにより実現される。
【０１０７】
再生モード処理に入ると、Ｓ５０１で、マイコン１０７は常時記録モードの設定がオフになっているか否かをチェックする。常時記録モードがオフになっている場合、処理はＳ５０２に進み、マイコン１０７は、リアルインデックス画面を表示する。リアルインデックスは、リアルプレイリストに記録されているシーンの一覧を表示するための画面である。
【０１０８】
ここで、図１１（ａ）に示されるように記録が実行された場合を例に挙げてリアルインデックスとバーチャルインデックスについて説明する。シーン１１０１はリアルプレイリストに記録されたシーンである。シーン１１０２、シーン１００３、シーン１１０４はバーチャルプレイリストに記録されたシーンである。リアルインデックスとは、リアルプレイストに記録されているシーン１１０１のイン点の直近のＩpictureを圧縮伸張回路１０４でデコードして、サムネイルとして表示するものである。一方バーチャルインデックスとは、バーチャルプレイリストに記録されているシーン１１０２〜１１０４のイン点の直近のＩpictureを圧縮伸張回路１０４でデコードしてサムネイルとして表示するものである。動画ファイル１１２０はリアル記録に伴って生成される動画ファイルに含まれる動画の期間を示している。
【０１０９】
図１１（ａ）のリアルプレイリストのシーン１１０１に対応したリアルインデックスの画面例を図１１（ｂ）に示す。リアルインデックスは、メモリカードに記録されたリアルプレイリストの各イン点とアウト点が示す、１回の動画記録での記録開始から記録終了までに記録された動画の代表画像の一覧画面である。リアルインデックスでは、サムネイル１１０５のように、リアル記録されたシーンの代表画像が表示される。すなわち、サムネイル１１０５は１回の動画記録での記録開始から記録終了までに記録された動画を１つの単位として扱った場合の代表画像である。
また、図１１（ａ）のシーン１１０２〜１１０４が記録されたバーチャルプレイリストに対応したバーチャルインデックスの画面例を図１１（ｃ）に示す。バーチャルインデックスは、１回の動画記録での記録開始から記録終了までに記録された単一の動画に関連付けられたバーチャルプレイリストのイン点とアウト点が示すシーンの代表画像の一覧画面である。バーチャルインデックスでは、図１１（ａ）のバーチャルプレイリストにおいて３つのシーンが記録されているため、サムネイル１１０６〜１１０８に示すように３つのシーンのイン点の画像が表示される。すなわち、サムネイル１１０６は、バーチャルプレイリストに記録されたイン点とアウト点の対で示されるシーン１１０２を１つの動画の単位として扱った場合の代表画像である。同じく、サムネイル１１０７は動画のリアル記録の開始から終了までのシーン１１０１の一部のシーンであるバーチャル記録されたシーン１１０３を代表する画像である。また、サムネイル１１０８は動画のリアル記録の開始から終了までのシーン１１０１の一部のシーンであるバーチャル記録されたシーン１１０４を代表する画像である。
【０１１０】
ユーザは、操作スイッチ群１１１を用いてリアルインデックスから所望のシーンを選択し、再生開始操作を行う。こうして再生開始が指示されると、処理はＳ５０３からＳ５０４へ進み、マイコン１０７は、選択されているリアルシーンのイン点からの再生を開始し、Ｓ５０５において、図１２（ａ）に示すように、再生画面を表示する。１２０１はシーン数の表示部分である。シーン数表示１２０１では、「何番目のシーンであるかを示す数値」／「リアルプレイリストの全シーン数」の形式で表示される。リアルプレイリストには、１シーンとして記録されている為、シーン数表示１２０１は「１／１」となる。
【０１１１】
Ｓ５０６で再生停止操作が検出されると、処理はＳ５１０へ進み、マイコン１０７は再生停止処理を行う。そして、Ｓ５２４で、マイコン１０７は、再生停止要求が他の動作モードへの切り換え要求を兼ねていないかを確認する。モード切り換えの要求がなければ、マイコン１０７は、Ｓ５２５でその他の操作の確認を行い、特に操作が行われていない場合はＳ５３０で再生モード処理の完了判定を行う。再生の停止のみが要求された場合であれば、再びインデックス表示を行うために、処理はＳ５０１へ戻る。
【０１１２】
他方、Ｓ５０６で再生停止の要求がないと判定された場合、処理はＳ５０７へ進み、マイコン１０７は、再生中のシーンがアウト点に到達したか否かを確認する。到達していなければ、処理はＳ５０６に戻り、マイコン１０７は再生停止の確認を継続する。アウト点に到達していると判定された場合は、Ｓ５０８において、マイコン１０７は次のリアルシーンのイン点のあるシーンに進む。次のイン点がなく、最終シーンである場合には、処理はＳ５０９からＳ５１０に進み、マイコン１０７は、再生停止の処理を行う。Ｓ５０９で最終シーンではないと判定された場合は、処理はＳ５０４に戻り、マイコン１０７は、選択されているシーンのイン点からの再生を開始する。
【０１１３】
Ｓ５０３で再生開始制御が指示されなかった場合、処理はＳ５１１に進み、マイコン１０７は、インデックス切り換えボタンが押下されたか否かを確認する。インデックス切り換えキーが押下された場合、処理はＳ５１２へ進み、マイコン１０７は、表示するインデックス画面の種類を切り換えるためのインデックス選択画面を表示する。ここで表示されるインデックス選択画面の一例を図１３に示す。この画面でショットリスト１３０１を選択すると画像記録装置１００はバーチャルインデックスへ遷移する。バーチャルインデックスとは、図１１（ｃ）で説明したとおり、バーチャルプレイリストに記録されているシーンのイン点の近傍のＩpictureをインデックス表示するものである。Ｓ５１３で、バーチャルインデックスへの遷移の指示（ショットリスト１３０１の選択）が検出された場合、処理はＳ５１４に進み、マイコン１０７は、バーチャルインデックス画面を表示する。バーチャルインデックスへの遷移が選択されなかった場合は、処理はステップＳ５２４に進む。
【０１１４】
一方、Ｓ５０１で常時記録がオフではないと判定された場合（常時記録モードから遷移した再生モード処理の場合）、処理はＳ５１４へ進み、マイコン１０７は、バーチャルシーンを一覧表示したバーチャルインデックス表示を行う。Ｓ５１５において、操作スイッチ群１１１へのユーザ操作によってバーチャルインデックスからシーンが選択され、再生開始が指示されると、処理はＳ５１８へ進む。Ｓ５１８において、マイコン１０７は、選択されているバーチャルシーンのイン点から再生を開始し、Ｓ５３１で再生画面を表示する。この時の再生では、バーチャルシーンのイン点からアウト点までが再生され、リアルシーン１１０１のうちイン点とアウト点に挟まれていない部分は再生されない。すなわち、実際に記録されている動画の一部の区間が再生される。この再生画面の例を、図１２（ｂ）に示す。図１２（ｂ）において１２０２はシーン数の表示部分である。シーン数表示１２０２では、「１つのバーチャルプレイリスト中で何番目のシーンであるかを示す数値」／「１つのバーチャルプレイリストの全シーン数」の形式で表示される。すなわち、バーチャルプレイリスト単位での表示であり、他のバーチャルプレイリスト（常時記録モードをオンとする前の過去の常時記録で生成された別のバーチャルプレイリスト）の内容は考慮されない。バーチャルプレイリストには、３シーン記録されている為、３シーンの連続再生となる。図示の例では、３シーンのうちの１番目のシーンが再生されていることを示す、「１／３」が表示されている。
【０１１５】
再生画面の表示中に再生停止操作が検出されると、処理はＳ５１９からＳ５２３へ進み、マイコン１０７は、再生停止処理を行う。そして、Ｓ５２４で、マイコン１０７は、再生停止要求が他の動作モードへの切り換え要求を兼ねていないかを確認する。モード切り換えの要求を兼ねていなければ、処理はＳ５２５へ進み、マイコン１０７は、その他の操作の確認を行う。他の操作が行われていなければ、処理はＳ５３０へ進み、マイコン１０７は、再生モード処理の完了判定を行う。再生の停止のみを要求する場合であれば、再びインデックス表示を行うために、処理はＳ５３０からＳ５０１へ戻る。
【０１１６】
Ｓ５１９で再生停止の要求がないと判定された場合、処理はＳ５２０へ進み、マイコン１０７は、再生中のシーンがアウト点に到達したか否かを確認する。アウト点に到達していなければ、Ｓ５１９における再生停止の確認を継続する。Ｓ５２０でアウト点に到達していると判定された場合、処理はＳ５２１へ進み、マイコン１０７は、バーチャルリストの次のイン点のシーンを再生対象とする。Ｓ５２１において、次のイン点がなく、最終シーンであると判定された場合、処理はＳ５２３に進み、マイコン１０７は、再生停止の処理を行う。Ｓ５２２で最終シーンではないと判定された場合、処理はＳ５１８に戻り、マイコン１０７は、再生対象に選択されているシーンのイン点から再生を開始する。
【０１１７】
Ｓ５１５で再生開始が指示されていないと判断された場合、処理はＳ５１６に進み、マイコン１０７は、インデックス切り換えキーが押下されたか否かを確認する。インデックス切り換えキーが押下された場合、処理はＳ５１７へ進み、マイコン１０７は、リアルインデックス画面への切り換え制御を実行する。この後、処理はＳ５０２へ進み、マイコン１０７は上述したリアルインデックス表示による制御を実行する。
【０１１８】
Ｓ５２４では、マイコン１０７は、他の動作モードへの切り換え要求があったか否かを判定する。他の動作モードへの切り換え要求がなかった場合、マイコン１０７は、その他の操作があったか否かを判定し（Ｓ５２５）、何も操作がなければ再生モード処理の完了判定を行う（Ｓ５３０）。Ｓ５２５でその他の操作が検出された場合は、マイコン１０７は、対応する処理を行い（Ｓ５２６）、再生モード処理の完了判定を行う（Ｓ５３０）。また、Ｓ５２４で他の動作モードへの切り換え要求があると判定された場合、処理はＳ５２７へ進む。Ｓ５２７において、マイコン１０７は、その要求が撮影モードへの要求であったか否かを判定する。撮影モードへのモード切り換え要求であった場合は、処理はＳ５２９に進み、マイコン１０７は、撮影モード処理を行う。撮影モード処理では図２ＡのＳ２０１に進んで常時記録モードがオンであったか否かの判定を行い、判定に応じて常時記録モード処理あるいは通常の動画記録処理を行う。ここで、常時記録モードがオンか否かの情報は再生モード中も特に消去することなく保持しておくため、結果として、再生処理を開始する前と同じ記録モードでの処理が行われる。すなわち、常時記録モードがオンであった状態から再生モードに遷移し、その後記録モードに遷移すると、常時記録モードとなる。本実施形態の場合、電源スイッチ１７０６により、撮影モード、再生モード、電源オフモードの何れかへの切り換えが行われる。したがって、Ｓ５２７で撮影モードへのモード切り換え要求ではなかったと判定された場合は、処理はＳ５２８へ進み、電源オフモードの処理が行われる。
【０１１９】
Ｓ５３０において、マイコン１０７は、再生モード処理完了判定を行う。この判定では、再生モードで行う処理が完了したか否かを判定し、完了していない場合はＳ５０１に進む。完了している場合は、再生モード処理を完了する。
【０１２０】
次に、Ｓ２１０，Ｓ３１１，Ｓ５２８において実行される電源オフモード処理を説明する。図６は、本実施形態の画像記録装置１００の電源オフモード処理のシーケンスを表したフローチャートである。
【０１２１】
電源オフモード処理に入ると、マイコン１０７は、画像記録装置１００内の各ブロックへの電源供給を停止する。ここで、各ブロックとは、図１にあるカメラ信号処理部１０３や、記録再生回路１１０などに代表される機能ブロックである。ただし、マイコン１０７やＲＯＭ１０８は、その後の電源ＯＮ制御のために電源ＯＦＦの後も電源が供給され続けた状態を保持する。
【０１２２】
次に、マイコン１０７自身の電力を抑えるために、Ｓ６０２においてマイコン１０７は省電力動作モードに遷移する。このとき、例えばマイコン１０７のメインクロックの周波数を低下させたり、マイコン内部回路の電源供給範囲を限定したりするなどの方法によって、省電動作が実現される。本実施形態では、この省電動作の状態を電源オフ状態とする。画像記録装置１００は、電源をオンするための制御（操作）がおこなわれるまでの間、省電力動作モードで待機する。
【０１２３】
省電力動作モード中、マイコン１０７は電源スイッチ１７０６の状態を監視し、電源オン制御が行われたか否かを判定する。操作されていない場合は引き続き省電力動作モードでマイコン１０７は駆動し続ける。電源スイッチ１７０６への操作が検出された場合は、処理はＳ６０３からＳ６０４へ進み、マイコン１０７は、画像記録装置１００を通常記録モードへ遷移させる。そして、Ｓ６０５において、マイコン１０７は、電源スイッチ１７０６の状態を検出して、撮影モード、再生モードの何れが指示されているかを判定する。撮影モードが要求されていると判定された場合、処理はＳ６０６に進み、マイコン１０７は、上述した撮影モード処理を実行する。また、Ｓ６０５で再生モードが要求されていると判定された場合には、処理はＳ６０７へ進み、マイコン１０７は、上述した再生モード処理を実行する。Ｓ６０８で電源オフ処理が完了したと判定されれば、電源オフ処理は完了する。
【０１２４】
上述のように、通常記録と、常時記録を行った際のユーザ操作とストリームの状態、ＡＶＣＨＤの管理情報であるプレイリストの状態を図１４、図１５に示す。
【０１２５】
図１４は通常記録時の記録動作を表す図である。Start１４０１で示すように、画像記録装置１００が記録指示を受け付ける（Ｓ４０１）と、メモリカードに動画ファイル１４０３（ファイル名は00000.mts）の記録が開始される。また、これと同時に、マウント時にＲＡＭ１０９に展開したリアルプレイリスト情報１４０４に対してシーンが追加される。このシーンのINTimeは、動画ファイル１４０３の記録の開始時のＰＴＳ（t1）である。
【０１２６】
その後、画像記録装置１００が記録停止指示（Ｓｔｏｐ１４０２）を受け付ける（Ｓ４０７）と、メモリカードに対する動画ファイル１４０３の記録が終了する。そして、ＲＡＭ１０９に展開されているリアルプレイリスト情報１４０４において、OUTTimeとして、動画ファイル１４０３の終了ＰＴＳ（t2）を書き込み、リアルプレイリストをメモリカードに書き出す。リアルプレイリストの再生であるリアルインデックス再生では、リアルプレイリスト１５０７に従ってインデックス表示／再生動作を行う。インデックス画面表示では、リアルプレイリストのINTimeであるt1の近傍のＩpictureを表示する。そして、リアルインデックス再生では、INTimeであるt1からOUTTimeであるt2までを再生表示する。
【０１２７】
図１５は常時記録時の記録動作を説明する図である。Start１５０１より、リアル記録とバーチャル記録が開始され、メモリカードへの動画ファイル１５０９（ファイル名：00000.mts）の記録が開始される。Start１５０１は、画像記録装置１００がメニューから常時記録開始の指示を受付けた時点、もしくはＲｅｃトリガ（常時記録モード移行後、最初のＳＴＡＲＴ／ＳＴＯＰボタン１７０５の操作）により記録指示を受付けた時点である（Ｓ３０６、Ｓ３２１）。
【０１２８】
また、これと同時に、マウント時にＲＡＭ１０９に展開したリアルプレイリスト１５０７にシーンを追加する。また、ＲＡＭ１０９に新規にバーチャルプレイリスト１５０８を作成し、シーンを追加する。バーチャルプレイリスト１５０８と動画ファイル１５０９とを同一フォルダに生成することで、バーチャルプレイリスト１５０８と動画ファイル１５０９とを互いに関連付けて記録する。リアルプレイリスト１５０７のINTimeは、動画ファイル１５０９の記録の開始時のＰＴＳ（t1）である。また、バーチャルプレイリスト１５０８のINTimeは、動画ファイル１５０９の記録の開始時近傍（直後）のＩpictureのＰＴＳ（t2）である。その後、操作者によるＲｅｃトリガが検出される（Ｓ３４１）と、バーチャル記録が停止（Stop１５０３）し、バーチャルプレイリスト１５０８のOUTTimeにStop１５０３近傍のＩpictureのＰＴＳ（t3）が記録される。
【０１２９】
さらにその後、再度Ｒｅｃトリガが検出される（Ｓ３７３）と、バーチャル記録が開始され（Start１５０４）、バーチャルプレイリスト１５０８に新たにシーンが追加される。この新たに追加されたシーンのINTimeには、Start１５０４近傍のＩpictureのＰＴＳ（t4）が記録される。そして、再度Ｒｅｃトリガが検出される（Ｓ３４１）と、バーチャル記録が停止し（Stop１５０５）バーチャルプレイリスト１５０８のOUTTimeにＳｔｏｐ１５０５の近傍のＩpictureのＰＴＳ（t5）が記録される。
【０１３０】
さらに、再度Ｒｅｃトリガが押下される（Ｓ３７３）と、再びバーチャル記録が開始し（Start１５０２）バーチャルプレイリスト１５０８に新たにシーンが追加される。このシーンのINTimeには、Start１５０２の近傍のＩpictureのＰＴＳ（t6）が記録される。その後、たとえばメニューより常時記録停止が選択される（Ｓ３５３）と、バーチャル記録およびリアル記録が停止する（メニュー停止操作１５０６）。このとき、バーチャルプレイリスト１５０８のOUTTimeにメニュー停止操作１５０６の近傍のＩpictureのＰＴＳ（t7）が記録される。そして、メモリカードへの動画ファイル１５０９の記録が停止され、最終フレームに対するＰＴＳ（t8）がリアルプレイリスト１５０７のOUTTimeとして記録する。その後、ＲＡＭ１０９上のバーチャルプレイリスト１５０８とリアルプレイリスト１５０７がメモリカードに書き出される。
【０１３１】
バーチャルインデックス再生によりバーチャルプレイリストが再生される場合は、バーチャルプレイリスト１５０８に従ってインデックス表示／再生動作が行われる。インデックス画面表示には、バーチャルプレイリストのINTIME（t2、t4、t6）の近傍のＩpictureが表示される（図１１（ｃ））。そして、バーチャルインデックス再生では、INTime（t2）からOUTTime（t3）までのシーン、INTime（t4）からOUTTime（t5）までのシーン、INTime（t6）からOUTTime（t7）までのシーンを再生表示する。
【０１３２】
なお、図２〜図６のフローチャートを参照して説明した処理を、マイコン１０７が実行するものとしたが、これに限られるものではない。すなわち、上述した各制御は、１つのハードウェアが行ってもよいし、複数のハードウェアが処理を分担することで、装置全体の制御を行ってもよい。
【０１３３】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１３４】
また、上述した実施形態においては、本発明をデジタルビデオカメラ等の画像記録装置に適用した場合を例にして説明したが、これはこの例に限定されず、動画記録が可能な電子装置であれば適用可能である。すなわち、本発明は、パーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。
【０１３５】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読出して実行する処理である。この場合、そのプログラム、及び該プログラムを記憶した記憶媒体は本発明を構成することになる。
【図１】
2015041990.tif 000003
【図２Ａ】
2015041990.tif 000004
【図２Ｂ】
2015041990.tif 000005
【図３Ａ】
2015041990.tif 000006
【図３Ｂ】
2015041990.tif 000007
【図３Ｃ】
2015041990.tif 000008
【図３Ｄ】
2015041990.tif 000009
【図３Ｅ】
2015041990.tif 000010
【図３Ｆ】
2015041990.tif 000011
【図３Ｇ】
2015041990.tif 000012
【図４】
2015041990.tif 000013
【図５Ａ】
2015041990.tif 000014
【図５Ｂ】
2015041990.tif 000015
【図６】
2015041990.tif 000016
【図１４】
2015041990.tif 000017
【図１５】
2015041990.tif 000018
【図１７】
2015041990.tif 000019
【図７】
2015041990.tif 000020
【図８】
2015041990.tif 000021
【図９】
2015041990.tif 000022
【図１０】
2015041990.tif 000023
【図１１】
2015041990.tif 000024
【図１２】
2015041990.tif 000025
【図１３】
2015041990.tif 000026
【図１６】
2015041990.tif 000027